【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
撮像手段で撮像された画像に含まれる人物の顔の領域のうち、輝度が閾値よりも高い領域を補正対象領域として、当該補正対象領域の画素値を補正する処理を含む画像処理を行う画像処理装置であって、
前記補正対象領域における色むらの度合いに基づいて、前記補正対象領域における画素値に対する補正量を決定する決定手段を有することを特徴とする画像処理装置。
【請求項２】
前記決定手段は、前記補正対象領域における色むらの度合いと、前記補正対象領域における輝度とに基づいて、前記補正対象領域における画素値に対する補正量を導出することを特徴とする請求項１に記載の画像処理装置。
【請求項３】
前記決定手段は、前記顔の領域における画素値の代表値に基づいて前記補正対象領域における肌色の補色を導出すると共に、前記補正対象領域における色むらの度合いと、前記補正対象領域における輝度とに基づいて、前記補正対象領域における肌色の補色を補正するためのゲインを導出し、前記補正対象領域における肌色の補色と、前記ゲインとに基づいて、前記補正対象領域における画素値に対する補正量を導出することを特徴とする請求項２に記載の画像処理装置。
【請求項４】
前記決定手段は、前記補正対象領域における色むらの度合いに応じて、前記顔の領域から、前記補正対象領域における画素値に対する補正量を導出するために用いる領域を決定し、当該決定した領域における画素値に基づいて、前記補正対象領域における画素値に対する補正量を導出することを特徴とする請求項１または２に記載の画像処理装置。
【請求項５】
前記決定手段は、前記補正対象領域における画素値に対する補正量を導出するために用いる領域における肌色の代表値に基づいて、前記補正対象領域における肌色の補色を導出すると共に、前記補正対象領域における輝度に基づいて、前記補正対象領域における肌色の補色を補正するためのゲインを導出し、前記補正対象領域における肌色の補色と、前記ゲインとに基づいて、前記補正対象領域における画素値に対する補正量を導出することを特徴とする請求項４に記載の画像処理装置。
【請求項６】
前記決定手段は、前記補正対象領域における色むらの度合いに基づいて、前記顔の領域に光源の照射むらがあるか否かを判定し、
前記顔の領域に光源の照射むらがある場合の、前記補正対象領域における画素値に対する補正量を導出するために用いる領域は、当該補正対象領域の周辺の領域であり、
前記顔の領域に光源の照射むらがない場合の、前記補正対象領域における画素値に対する補正量を導出するために用いる領域は、前記顔の領域であることを特徴とする請求項５に記載の画像処理装置。
【請求項７】
前記画素値の代表値を導出する導出手段を更に有することを特徴とする請求項３〜６の何れか１項に記載の画像処理装置。
【請求項８】
前記決定手段は、前記顔の領域を複数に分割した分割領域ごとに、前記補正対象領域における画素値に対する補正量を決定することを特徴とする請求項１〜７の何れか１項に記載の画像処理装置。
【請求項９】
前記決定手段は、前記補正対象領域における色の均一度に基づいて、前記補正対象領域における画素値に対する補正量を決定することを特徴とする請求項１〜８の何れか１項に記載の画像処理装置。
【請求項１０】
前記決定手段は、前記画像に基づいて導出された、前記色むらの度合いの評価値に基づいて、前記補正対象領域における画素値に対する補正量を決定することを特徴とする請求項１〜９の何れか１項に記載の画像処理装置。
【請求項１１】
前記決定手段は、前記補正対象領域におけるストロボ光の照射量の均一度に基づいて、前記補正対象領域における画素値に対する補正量を決定することを特徴とする請求項１〜１０の何れか１項に記載の画像処理装置。
【請求項１２】
前記決定手段は、ストロボ光を発光して前記撮像手段による撮像が行われた場合の前記補正対象領域における陰影の度合いに基づいて、前記補正対象領域における画素値に対する補正量を決定することを特徴とする請求項１〜１１の何れか１項に記載の画像処理装置。
【請求項１３】
前記決定手段は、前記ストロボ光を発光して前記撮像手段により撮像された前記画像と、前記ストロボ光を発光せずに前記撮像手段により撮像された画像とに基づいて導出された、前記色むらの度合いの評価値に基づいて、前記補正対象領域における画素値に対する補正量を決定することを特徴とする請求項１１または１２に記載の画像処理装置。
【請求項１４】
画像に含まれる人物の顔の領域のうちの少なくとも一部の領域を補正対象領域として、当該補正対象領域の画素値を補正する処理を含む画像処理を行う画像処理装置であって、
前記顔の領域のうち第１の輝度を有する第１の領域を補正対象領域とする場合に、少なくとも前記第１の領域における色むらの度合いが第１の度合いである場合、前記第１の領域における画素値に対する補正量を第１の補正量とし、少なくとも前記第１の領域における色むらの度合いが前記第１の度合いよりも大きな第２の度合いである場合、前記第１の領域における画素値に対する補正量を前記第１の補正量より小さな第２の前記補正量とする決定手段と、
前記決定手段により決定された補正量に基づき、前記画像処理を行う補正手段と、
を有することを特徴とする画像処理装置。
【請求項１５】
少なくとも前記第１の領域における色むらの度合いは、少なくとも前記第１の領域における色評価値の分散であることを特徴とする請求項１４に記載の画像処理装置。
【請求項１６】
前記画素値を補正する処理は、前記補正対象領域を肌色に近付ける補正を含むことを特徴とする請求項１４または１５に記載の画像処理装置。
【請求項１７】
撮像手段で撮像された画像に含まれる人物の顔の領域のうち、輝度が閾値よりも高い領域を補正対象領域として、当該補正対象領域の画素値を補正する処理を含む画像処理を行う画像処理方法であって、
前記補正対象領域における色むらの度合いに基づいて、前記補正対象領域における画素値に対する補正量を決定する決定工程を有することを特徴とする画像処理方法。
【請求項１８】
画像に含まれる人物の顔の領域のうちの少なくとも一部の領域を補正対象領域として、当該補正対象領域の画素値を補正する処理を含む画像処理を行う画像処理方法であって、
前記顔の領域のうち第１の輝度を有する第１の領域を補正対象領域とする場合に、少なくとも前記第１の領域における色むらの度合いが第１の度合いである場合、前記第１の領域における画素値に対する補正量を第１の補正量とし、少なくとも前記第１の領域における色むらの度合いが前記第１の度合いよりも大きな第２の度合いである場合、前記第１の領域における画素値に対する補正量を前記第１の補正量より小さな第２の前記補正量とする決定工程と、
前記決定工程により決定された補正量に基づき、前記画像処理を行う補正工程と、
を有することを特徴とする画像処理方法。
【請求項１９】
請求項１〜１６の何れか１項に記載の画像処理装置の各手段としてコンピュータを機能させることを特徴とするプログラム。
【手続補正２】
【補正対象書類名】明細書
【補正対象項目名】０００６
【補正方法】変更
【補正の内容】
【０００６】
本発明の画像処理装置の第１の例は、撮像手段で撮像された画像に含まれる人物の顔の領域のうち、輝度が閾値よりも高い領域を補正対象領域として、当該補正対象領域の画素値を補正する処理を含む画像処理を行う画像処理装置であって、前記補正対象領域における色むらの度合いに基づいて、前記補正対象領域における画素値に対する補正量を決定する決定手段を有することを特徴とする。
本発明の画像処理装置の第２の例は、画像に含まれる人物の顔の領域のうちの少なくとも一部の領域を補正対象領域として、当該補正対象領域の画素値を補正する処理を含む画像処理を行う画像処理装置であって、前記顔の領域のうち第１の輝度を有する第１の領域を補正対象領域とする場合に、少なくとも前記第１の領域における色むらの度合いが第１の度合いである場合、前記第１の領域における画素値に対する補正量を第１の補正量とし、少なくとも前記第１の領域における色むらの度合いが前記第１の度合いよりも大きな第２の度合いである場合、前記第１の領域における画素値に対する補正量を前記第１の補正量より小さな第２の前記補正量とする決定手段と、前記決定手段により決定された補正量に基づき、前記画像処理を行う補正手段と、を有することを特徴とする。